Podtech/llm-jp-corpus-v4-ja_patent huggingface dataset:
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
組成物であって、該組成物は：
ａ）少なくとも１つの細胞であって：
ｉ．組み換えＴ細胞受容体（ＴＣＲ）であって、ＴＣＲα鎖およびＴＣＲβ鎖を含む、組み換えＴＣＲと；
ｉｉ．Ｔ細胞受容体経路依存性レポーターであって、前記組み換えＴＣＲは主要組織適合性（ＭＨＣ）分子に結合された疾患関連抗原に特異的である、Ｔ細胞受容体経路依存性レポーターと、
を含む少なくとも１つの細胞；および、
ｂ）ナノ粒子に結合された前記ＭＨＣ分子に結合される前記疾患関連抗原を含むナノメディシン、
を含む、組成物。
【請求項２】
前記ナノ粒子は約１ナノメートル〜約１００ナノメートルの直径を有する、請求項１に記載の組成物。
【請求項３】
前記Ｔ細胞受容体経路依存性レポーターは、ルシフェラーゼ遺伝子、βラクタマーゼ遺伝子、クロラムフェニコールアセチルトランスフェラーゼ（ＣＡＴ）遺伝子、分泌型胚性アルカリホスファターゼ（ＳＥＡＰ）遺伝子、蛍光タンパク質遺伝子、およびそれらの組み合わせからなる群から選択される遺伝子の転写を活性化する、請求項１または２に記載の組成物。
【請求項４】
前記Ｔ細胞受容体経路依存性レポーターは、活性化Ｔ細胞核内因子（ＮＦＡＴ）転写因子結合ＤＮＡ配列またはプロモーター、ＮＦ−κＢ転写因子結合ＤＮＡ配列またはプロモーター、ＡＰ１転写因子結合ＤＮＡ配列またはプロモーター、ＩＬ−２転写因子結合ＤＮＡ配列またはプロモーター、ならびにそれらの組み合わせからなるリストから選択されるポリヌクレオチド配列を含む、請求項１〜３のいずれか１つに記載の組成物。
【請求項５】
前記少なくとも１つの細胞は、ＪｕｒＭＡ、Ｊｕｒｋａｔ、ＢＷ５１４７、ＨｕＴ−７８、ＣＥＭ、またはＭｏｌｔ−４から選択される、請求項１〜４のいずれか１つに記載の組成物。
【請求項６】
前記ＴＣＲα鎖およびＴＣＲβ鎖は単一のポリペプチドとして翻訳される、請求項１〜５のいずれか１つに記載の組成物。
【請求項７】
前記単一のポリペプチドの前記ＴＣＲα鎖およびＴＣＲβ鎖は、リボソームスキッピング配列によって分離される、請求項６に記載の組成物。
【請求項８】
前記単一のポリペプチドは、ＳＥＱ  ＩＤ  ＮＯ：５２７、５３３、あるいは５３８のいずれか１つと少なくとも９０％同一であるアミノ酸配列を含む、請求項６に記載の組成物。
【請求項９】
前記ＴＣＲα鎖およびＴＣＲβ鎖は別個のポリペプチドとして翻訳される、請求項１〜５のいずれか１つに記載の組成物。
【請求項１０】
前記ＴＣＲα鎖は、ＳＥＱ  ＩＤ  ＮＯ：５２８、５３０、５３４、５３６、５３９、および５４１のいずれか１つと少なくとも９０％同一のアミノ酸配列を含み、ならびに、前記ＴＣＲβ鎖は、ＳＥＱ  ＩＤ  ＮＯ：５２９、５３１、５３５、５３７、５４０、および５４２のいずれか１つと少なくとも９０％同一のアミノ酸配列を含む、請求項１〜９のいずれか１つに記載の組成物。
【請求項１１】
前記細胞は前記ＴＣＲα鎖および前記ＴＣＲβ鎖をコードする少なくとも１つの外因性ポリヌクレオチドを含む、請求項１〜１０のいずれか１つに記載の組成物。
【請求項１２】
前記少なくとも１つの外因性ポリヌクレオチドはＩＲＥＳ核酸配列を含む、請求項１１に記載の組成物。
【請求項１３】
前記少なくとも１つの外因性ポリヌクレオチドは、ＳＥＱ  ＩＤ  ＮＯ：５３２あるいは５５７のいずれか１つに記載のものと少なくとも９０％相同する核酸配列を含む、請求項１１または１２のいずれか１つに記載の組成物。
【請求項１４】
ナノメディシンの効力または活性を判定する際にインビトロで使用される、請求項１〜１３のいずれか１つに記載の組成物。
【請求項１５】
前記ナノメディシンはヒト個体で使用するためのものである、請求項１４に記載の組成物。
【誤訳訂正書】
【提出日】令和3年10月15日(2021.10.15)
【誤訳訂正１】
【訂正対象書類名】特許請求の範囲
【訂正対象項目名】全文
【訂正方法】変更
【訂正の内容】
【特許請求の範囲】
【請求項１】
上面運搬面の一部を形成する上面と、反対側の底面と、屈曲点において下部の凹曲面に移行する直線の上部を有する前面と、後面とを有する横方向に延在するスパインを備えるモジュール本体であって、前記横方向に延在するスパインはボトムヘビーであり、前記スパインの底部は上部よりも長手方向に厚い、モジュール本体と、
第１の隙間離間されかつ前記前面から前方に長手方向に延在するヒンジ要素の第１のセットであって、各ヒンジ要素がヒンジ開口部を有する、ヒンジ要素の第１のセットと、
第２の隙間離間されかつ前記後面から後方に長手方向に延在するヒンジ要素の第２のセットと、を備え、前記屈曲点が、前記ヒンジ開口部の垂直中心と整列している、コンベヤベルトモジュール。
【請求項２】
前記スパインが、一貫した厚さを有する上部および外方に広がる底部を有する、請求項１に記載のコンベヤベルトモジュール。
【請求項３】
前記後面が、屈曲点において下部の凹曲面に移行する直線の上部を有する、請求項１に記載のコンベヤベルトモジュール。
【請求項４】
前記屈曲点が、前記上面と前記底面の間の中心に置かれる、請求項１に記載のコンベヤベルトモジュール。
【請求項５】
第１のヒンジ要素と前記スパインの間の交点にマチブロックをさらに備える、請求項１に記載のコンベヤベルトモジュール。
【請求項６】
前記モジュール本体が、前記横方向に延在するスパインに隣接するコルゲート部分をさらに備える、請求項１に記載のコンベヤベルトモジュール。
【請求項７】
前記ヒンジ要素の第１のセットが、３つの異なる分離距離を有し、前記ヒンジ要素の第２のセットが、３つの異なる分離距離を有し、前記ヒンジ要素の第１のセットにおける少なくとも１つの分離距離は、前記ヒンジ要素の第２のセットにおける前記分離距離と異なる、請求項１に記載のコンベヤベルトモジュール。
【請求項８】
前記ヒンジ要素の第１のセットが、
前記前面から前方に延在する第１のヒンジ要素と、
前記前面から前方に延在し、かつ横方向に第１の距離を有する第１の空間によって前記第１のヒンジ要素から離間した第２のヒンジ要素と、
前記前面から前方に延在し、かつ横方向に前記第１の距離より小さい第２の距離を有する第２の空間によって前記第２のヒンジ要素から離間した第３のヒンジ要素と、
前記前面から前方に延在し、かつ横方向に前記第２の距離より小さい第３の距離を有する第３の空間によって前記第１のヒンジ要素から離間した第４のヒンジ要素とを含み、
前記第２のヒンジ要素が、前記第１のヒンジ要素と前記第３のヒンジ要素との間にある、請求項１に記載のコンベヤベルトモジュール。
【請求項９】
前記ヒンジ要素の第２のセットが、
前記後面から後方に延在する第５のヒンジ要素と、
前記後面から後方に延在し、かつ横方向に前記第１の距離より大きい第４の距離を有する第４の空間によって前記第５のヒンジ要素から離間した第６のヒンジ要素と、
前記後面から後方に延在し、かつ前記第１の距離と等しい横方向の幅を有する第５の空間によって前記第５のヒンジ要素から離間した第７のヒンジ要素と、
前記後面から後方に延在し、かつ横方向に前記第２の距離と第３の距離との間の第５の距離を有する第６の空間によって前記第７のヒンジ要素から離間した第８のヒンジ要素とを含む、請求項８に記載のコンベヤベルトモジュール。
【誤訳訂正２】
【訂正対象書類名】明細書
【訂正対象項目名】０００４
【訂正方法】変更
【訂正の内容】
【０００４】
ローラを組み込んだモジュール式プラスチック製コンベヤベルトは、モジュール本体と、高密度なローラアレイが、２つの連続するモジュールを連結するヒンジロッド上に取り付けられることを可能にするように構成された複数のヒンジ要素とを有するコンベヤベルトモジュールを備える。コンベヤベルトモジュールは、モジュール本体の少なくとも一部を形成するボトムヘビーのスパインと、ヒンジ要素とスパインの間の選択された交点に形成されたマチブロックとを有する。ローラアレイは、ヒンジ接続されたコンベヤベルトモジュールの交差させたヒンジ要素間に形成された空間においてヒンジロッド上に取り付けられる。
【誤訳訂正３】
【訂正対象書類名】明細書
【訂正対象項目名】０００５
【訂正方法】変更
【訂正の内容】
【０００５】
一態様によれば、コンベヤベルトモジュールは、上面、底面、前面、および後面を有するボトムヘビーの横方向に延在するスパインを備えるモジュール本体と、ヒンジ要素とを備える。
【誤訳訂正４】
【訂正対象書類名】明細書
【訂正対象項目名】００１２
【訂正方法】変更
【訂正の内容】
【００１２】
モジュール式プラスチック製コンベヤベルトは、コンベヤベルトモジュールにおけるボトムヘビーのスパインおよび−またはヒンジ要素とスパインの間のマチブロックを用いて高密度なローラアレイを組み込み得る。発明は、特定の例示的な実施形態に対して記載されるが、当業者は、発明はこれらの例示的な実施形態に限定されないことを理解するだろう。
【誤訳訂正５】
【訂正対象書類名】明細書
【訂正対象項目名】００１８
【訂正方法】変更
【訂正の内容】
【００１８】
一実施形態では、スパイン１３０は、ボトムヘビーである。例えば、図８および９に示すように、例示的なスパイン１３０は、上面運搬面１３１から対向する底面１３２に厚さ方向に延在する。スパインは、前面１３３から後面１３４に長手方向に延在する。図８および９に示すように、例示的なスパインはボトムヘビーであり、すなわち、スパインの底部１３５は、上部１３６よりも厚い。スパインは、任意の適切な構成を有し得る。例えば、例示的なスパイン１３０は、上面運搬面１３１が、長手方向において、底面１３２より短くなるように、底面１３２に向かって外方に広がりかつ上面運搬面１３１に向かって先細になる。しかしながら、発明はこの実施形態に限定されない。
【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
生検針アセンブリであって、
超弾性合金から形成される針であって、前記針は、
前記針の遠位端から前記針の近位端まで延伸する本体部と、
少なくとも前記本体部の一部を通って前記遠位端の開口まで延伸するルーメンを形成する前記針の内面であって、前記ルーメンおよび前記開口は組織の生検試料を採取するよう構成されている、内面と、
を有する針と、
前記針の前記近位端に取り付けられた長尺の部材と、
内部チャネルを有する管状のジャケットであって、
第１の構成において、前記針の前記遠位端が前記内部チャネル内に位置し、
第２の構成において、前記内部チャネルを通った前記長尺の部材の遠位端側への移動に応じて、前記針の前記遠位端が前記管状のジャケットの遠位端を超えて延伸する、
管状のジャケットと、
を有することを特徴とするアセンブリ。
【請求項２】
前記超弾性合金は、ニチノールを含むことを特徴とする請求項１に記載のアセンブリ。
【請求項３】
前記針は、約０．００１５インチの厚さの壁を有することを特徴とする請求項１に記載のアセンブリ。
【請求項４】
前記針の前記遠位端に先鋭先端をさらに有することを特徴とする請求項１に記載のアセンブリ。
【請求項５】
前記先鋭先端の近傍の前記針の周りに位置する放射線不透過性材料をさらに有することを特徴とする請求項４に記載のアセンブリ。
【請求項６】
前記放射線不透過性材料は、金を含むことを特徴とする請求項５に記載のアセンブリ。
【請求項７】
前記放射線不透過性材料の厚さは、少なくとも２００マイクロインチであることを特徴とする請求項５に記載のアセンブリ。
【請求項８】
前記長尺の部材は、前記針の前記近位端に位置する重なり領域の周りでリフローされたポリマーチューブを有することを特徴とする請求項１に記載のアセンブリ。
【請求項９】
前記ポリマーチューブは、前記重なり領域の周りでリフローされる前または後において、その遠位端に円錐部分を有することを特徴とする請求項８に記載のアセンブリ。
【請求項１０】
前記ポリマーチューブは、軟質熱可塑性樹脂を有することを特徴とする請求項８に記載のアセンブリ。
【請求項１１】
前記針の前記遠位端から前記近位端までの長さが約５センチメートルであり、前記重なり領域の長さが約２センチメートルであることを特徴とする請求項８に記載のアセンブリ。
【請求項１２】
前記針の前記遠位端から前記近位端までの長さが約４センチメートルであり、前記重なり領域の長さが約１センチメートルであることを特徴とする請求項８に記載のアセンブリ。
【請求項１３】
前記針の長さが１センチメートルから６センチメートルであることを特徴とする請求項８に記載のアセンブリ。
【請求項１４】
前記重なり領域の長さが０．５センチメートルから３センチメートルであることを特徴とする請求項８に記載のアセンブリ。
【請求項１５】
前記ポリマーチューブの内面によって形成されるチャネルが、前記ルーメンと流体連通して前記開口を通じて圧力を与えることを特徴とする請求項８に記載のアセンブリ。
【請求項１６】
前記重なり領域において前記針上に形成される複数の表面特徴をさらに有し、前記ポリマーチューブは前記表面特徴の周りでリフローされていることを特徴とする請求項８に記載のアセンブリ。
【請求項１７】
前記複数の表面特徴は、前記針のグリットブラスト仕上げされた外面を含むことを特徴とする請求項１６に記載のアセンブリ。
【請求項１８】
前記複数の表面特徴は、それぞれ前記針の壁を通って延伸するレーザ切断された孔を含むことを特徴とする請求項１６に記載のアセンブリ。
【請求項１９】
前記重なり領域は、前記チューブの遠位端に位置することを特徴とする請求項８に記載のアセンブリ。
【請求項２０】
前記針の前記近位端は、第１の螺旋チャネルまたは螺旋切削を有し、前記チューブの前記遠位端は、前記第１の螺旋チャネルまたは螺旋切削と機械的に嵌合する第２の螺旋チャネルまたは螺旋切削を有することを特徴とする請求項１９に記載のアセンブリ。
【請求項２１】
前記針の前記近位端および前記チューブの前記遠位端が、前記重なり領域において軟質接着剤によって固定されていることを特徴とする請求項１９に記載のアセンブリ。
【請求項２２】
前記針の前記近位端および前記チューブの前記遠位端が、前記重なり領域においてねじによって固定されていることを特徴とする請求項１９に記載のアセンブリ。
【請求項２３】
前記超弾性合金は、オーステナイト相において、前記本体部が直線状となる元の形状になることを特徴とする請求項１に記載のアセンブリ。
【請求項２４】
前記超弾性合金は、マルテンサイト相において、前記元の形状から可逆的に最大１０％変形することを特徴とする請求項１に記載のアセンブリ。
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
計算システムであって、
セグメンタ及び境界条件決定器を備える生物物理シミュレータを含む、コンピュータ実行可能命令を備えるコンピュータ可読記憶媒体と、
前記生物物理シミュレータに、心臓撮像データと適応冠動脈ツリーセグメンテーション及び適応境界条件の少なくとも一方とを用いて冠血流予備量比インデックスを計算させるように構成されるプロセッサと
を有する、計算システム。
【請求項２】
前記心臓撮像データはトレーニング撮像を含み、セグメンタはユーザインタラクションで前記心臓撮像データから調整冠動脈ツリーセグメンテーションを生成し、前記調整冠動脈ツリーセグメンテーションを基準冠動脈ツリーセグメンテーションと比較し、前記調整冠動脈ツリーセグメンテーションと前記基準冠動脈ツリーセグメンテーションとの間の偏差を示す情報を視覚的に表示する、請求項1に記載のシステム。
【請求項３】
前記心臓撮像データはトレーニング撮像を含み、セグメンタはユーザインタラクションで前記心臓撮像データから調整冠動脈ツリーセグメンテーションを生成し、前記調整冠動脈ツリーセグメンテーションを基準冠動脈ツリーセグメンテーションと比較し、前記調整冠動脈ツリーセグメンテーションと前記基準冠動脈ツリーセグメンテーションとの間の偏差を較正データとして記憶する、請求項1に記載のシステム。
【請求項４】
前記セグメンタが、後続して患者の心臓画像データを処理し、ユーザインタラクションで前記心臓撮像データから調整冠動脈ツリーセグメンテーションを生成し、前記較正データに基づいて前記調整冠動脈ツリーセグメンテーションを適応させ、前記適応セグメンテーションを生成する、請求項3に記載のシステム。
【請求項５】
前記適応は、前記調整冠動脈ツリーセグメンテーションの少なくとも１つのポイントをシフトすることを含む、請求項４に記載のシステム。
【請求項６】
前記セグメンタは、確認又は拒否のために前記適応セグメンテーションを視覚的に表示する、請求項４乃至５の何れか一項に記載のシステム。
【請求項７】
前記セグメンタは、前記トレーニング撮像又は他のトレーニング撮像の後続のセグメンテーションに基づいて前記較正データを更新する、請求項３乃至６の何れか一項に記載のシステム。
【請求項８】
前記セグメンタは、患者の心臓撮像データを処理し、ユーザインタラクションで前記心臓撮像データから調整冠動脈ツリーセグメンテーションを生成する、請求項1乃至8の何れか一項に記載のシステム。
【請求項９】
前記境界条件決定器は、前記適応セグメンテーション又は前記調整冠動脈ツリーセグメンテーションに基づいて境界条件を決定し、前記適応セグメンテーション又は前記調整冠動脈ツリーセグメンテーションに基づいて前記冠血流予備量比インデックスを計算するように構成されるフローシミュレータをさらに有する、請求項8に記載のシステム。
【請求項１０】
前記境界条件決定器は、患者固有のデータに基づいて前記境界条件を更新する、請求項９に記載のシステム。
【請求項１１】
前記境界条件決定器は、前記患者固有のデータにおける所定の変動のセットに対する境界条件のセットを決定し、前記フローシミュレータは、前記境界条件の前記セットに基づいて冠血流予備量比値を計算するように構成される、請求項１０に記載のシステム。
【請求項１２】
前記境界条件決定器は、文書化される結果に基づいて前記境界条件を更新し、前記フローシミュレータは、前記境界条件の前記セットに基づいて冠血流予備量比値を計算するように構成される、請求項９に記載のシステム。
【請求項１３】
前記患者固有のデータはヘマトクリットを含み、前記境界条件決定器は、上昇するヘマトクリットに応じて血液境界条件の粘度の初期値を所定の範囲の間でスケーリングすることにより前記血液境界条件の粘度を増加させる、請求項９乃至１２の何れか一項に記載のシステム。
【請求項１４】
前記患者固有のデータは糖尿病の存在を示し、前記境界条件決定器は、前記糖尿病の存在の表示に応じて前記抵抗境界条件の初期値に所定の割合を加えることにより、心筋壁の抵抗境界条件を増加させる、請求項９乃至１３の何れか一項に記載のシステム。
【請求項１５】
前記患者固有のデータは急性冠動脈症候群の存在を示し、前記プロセッサは、前記急性冠動脈症候群の存在の表示に応じて治療のためのカットオフ冠血流予備量比閾値を増加させる、請求項９乃至１４の何れか一項に記載のシステム。
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
生物物理シミュレータ及び心電図信号アナライザを有するコンピュータ実行可能命令を具備するコンピュータ可読記憶媒体と、
前記心電図信号アナライザを実行して、入力心電図から心筋梗塞特性を決定し、前記生物物理シミュレータを実行して、入力心臓画像データ及び前記決定される心筋梗塞特性から部分冠血流予備量比指標又は瞬時血流予備量比指標をシミュレートするプロセッサと、
を有する、コンピューティングシステム。
【請求項２】
前記決定される心筋梗塞特性は、心筋梗塞の存在の推定を含む、請求項１に記載のコンピューティングシステム。
【請求項３】
前記決定される心筋梗塞特性は、心筋梗塞の位置の推定を含む、請求項２に記載のコンピューティングシステム。
【請求項４】
前記決定される心筋梗塞特性は、心筋梗塞のサイズの推定を含む、請求項３に記載のコンピューティングシステム。
【請求項５】
前記生物物理シミュレータは、境界条件決定器及び境界条件アダプタを有し、前記境界条件決定器は、前記入力心臓画像データからセグメント化される冠状動脈樹から、境界条件を決定し、前記境界条件アダプタは、前記心筋梗塞特性を用いて前記境界条件を適応させる、請求項１に記載のコンピューティングシステム。
【請求項６】
前記適応が、冠状動脈モデルの構成要素の微小血管抵抗を変更することを含む、請求項５に記載のコンピューティングシステム。
【請求項７】
前記適応が、梗塞組織に血液を供給するモデルの冠状動脈の微小血管抵抗を増加させることを含む、請求項５に記載のコンピューティングシステム。
【請求項８】
前記適応は、心臓生理学から推定される、請求項５乃至７のいずれか１項に記載のコンピューティングシステム。
【請求項９】
前記境界条件アダプタは、前記シミュレートされた部分冠血流予備量比指標又は前記瞬時血流予備量比指標が部分冠血流予備量比測定値又は瞬時血流予備量比測定値と合致するように、訓練を通じて、前記部分冠血流予備量比測定値又は前記瞬時血流予備量比測定値により前記境界条件を適応させる、請求項５に記載のコンピューティングシステム。
【請求項１０】
前記生物物理シミュレータが画像データアダプタを有し、前記プロセッサが更に、前記画像データアダプタを実行して、前記決定された心筋梗塞特性を前記入力心臓画像データに組み込むように構成される、請求項１に記載のコンピューティングシステム。
【請求項１１】
前記プロセッサは、個人化された心臓形状モデルを使用して、前記決定された心筋梗塞特性を前記入力心臓画像データの空間座標に組み込む、請求項１０に記載のコンピューティングシステム。
【請求項１２】
前記生物物理シミュレータは、前記決定された心筋梗塞特性が組み込まれた前記入力心臓画像データから、境界条件を決定し、該境界条件から前記部分冠血流予備量比指標を決定する境界条件決定器を有する、請求項１０に記載のコンピューティングシステム。
【請求項１３】
コンピュータ可読読命令でエンコードされるコンピュータ可読記憶媒体であって、前記コンピュータ可読命令は、コンピューティングシステムのプロセッサ上で実行されるとき、プロセッサに、
心臓画像データを入力するステップと、
心電図信号を入力するステップと、
前記心臓画像データ及び前記心電図信号の心筋梗塞特性から、部分冠血流予備量比指標又は瞬時血流予備量比指標をシミュレートするステップであって、前記心筋梗塞特性が、心筋梗塞の存在、心筋梗塞の位置及び心筋梗塞のサイズのうち１又は複数の推定を含む、ステップと、
を実行させる、コンピュータ可読記憶媒体。
【請求項１４】
前記プロセッサは、前記心臓画像データからセグメント化された冠状動脈樹から、境界条件を決定し、前記心筋梗塞特性を用いて前記境界条件を適応させ、前記適応された境界条件を用いて前記部分冠血流予備量比指標又は前記瞬時血流予備比指標をシミュレートする、請求項１３に記載のコンピュータ可読記憶媒体。
【請求項１５】
前記プロセッサは、前記心筋梗塞特性を前記入力心臓画像データの空間座標に組み込み、前記心筋梗塞特性が組み込まれた前記心臓画像データを用いて前記部分冠血流予備量比指標又は瞬時血流予備量比指標をシミュレートする、請求項１３に記載のコンピュータ可読記憶媒体。
【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
配列番号１、配列番号２、配列番号３、配列番号４、配列番号５、配列番号６、配列番号７、配列番号８、配列番号９、配列番号１０、配列番号１１、及び配列番号１２からなる群から選択される配列を含む免疫調節ポリヌクレオチド。
【請求項２】
前記ポリヌクレオチドが、１つ又は複数のリン酸基の修飾を含む、請求項１に記載の免疫調節ポリヌクレオチド。
【請求項３】
（ａ）１つ又は複数のリン酸基の前記修飾が、ホスホロチオエート結合である、又は（ｂ）前記ポリヌクレオチドのリン酸骨格が、完全にホスホロチオエートで修飾されている、請求項２に記載の免疫調節ポリヌクレオチド。
【請求項４】
１つ又は複数のリン酸基の前記修飾が、結合である、請求項２に記載の免疫調節ポリヌクレオチド。
【請求項５】
請求項１〜４のいずれか一項に記載の免疫調節ポリヌクレオチドを含む免疫応答調節剤。
【請求項６】
請求項１〜４のいずれか一項に記載の免疫調節ポリヌクレオチドを含むインターフェロン−アルファ増加剤。
【請求項７】
請求項１〜４のいずれか一項に記載の免疫調節ポリヌクレオチドを含むインターフェロン−ガンマ増加剤。
【請求項８】
請求項１〜４のいずれか一項に記載の免疫調節ポリヌクレオチドを含む感染症の症状回復剤。
【請求項９】
請求項１〜４のいずれか一項に記載の免疫調節ポリヌクレオチドを含むがん又は腫瘍治療薬であって、前記がん又は腫瘍は乳がん、結腸直腸がん、びまん性大細胞性Ｂ細胞リンパ腫、子宮内膜がん、濾胞性リンパ腫、胃がん、グリア芽細胞腫、頭頸部がん、肝細胞がん、肺がん、メラノーマ、多発性骨髄腫、卵巣がん、膵臓がん、前立腺がん、及び腎細胞癌からなる群から選択されてもよい、治療薬。
【請求項１０】
（ｉ）がんに対する有効量の標的治療；及び
（ｉｉ）有効量の請求項１〜４のいずれか一項に記載の免疫調節ポリヌクレオチド、又はその組合せ
を含む、治療的組合せ。
【請求項１１】
前記標的治療が、（ａ）非腫瘍細胞と比較して、特異的に又は優先的に腫瘍細胞に結合することが可能である、（ｂ）非腫瘍抗原と比較して、特異的に又は優先的に腫瘍抗原に結合することが可能である、又は（ｃ）免疫グロブリン、タンパク質、ペプチド、小分子、ナノ粒子、又は核酸を含むか、抗体又はその機能的な断片を含んでもよい、請求項１０に記載の治療的組合せ。
【請求項１２】
前記標的治療は、Ｆａｂ、Ｆａｂ’、Ｆ（ａｂ’）２、単一ドメイン抗体、Ｔ及びＡｂｓ二量体、Ｆｖ、ｓｃＦｖ、ｄｓＦｖ、ｄｓ−ｓｃＦｖ、Ｆｄ、直鎖状抗体、ミニボディ、ダイアボディ、二重特異性抗体断片、バイボディ、トリボディ、ｓｃ−ダイアボディ、カッパ（ラムダ）ボディ、ＢｉＴＥ、ＤＶＤ−Ｉｇ、ＳＩＰ、ＳＭＩＰ、ＤＡＲＴ、又は１つ又は複数のＣＤＲを含む抗体類似体を含む、請求項１０に記載の治療的組合せ。
【請求項１３】
化学療法剤をさらに含む、請求項１０〜１２のいずれか一項に記載の治療的組合せ。
【請求項１４】
請求項１０〜１３のいずれか一項に記載の治療的組合せを含む、がん又は腫瘍治療薬であって、前記がん又は腫瘍は乳がん、結腸直腸がん、びまん性大細胞性Ｂ細胞リンパ腫、子宮内膜がん、濾胞性リンパ腫、胃がん、グリア芽細胞腫、頭頸部がん、肝細胞がん、肺がん、メラノーマ、多発性骨髄腫、卵巣がん、膵臓がん、前立腺がん、及び腎細胞癌からなる群から選択される、治療薬。
【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
呼吸ガス監視（ＲＧＭ）デバイスであって、
呼吸空気を搬送するための呼吸空気流路と、
前記呼吸空気流路を通る赤外光を放出する赤外線光源と、
前記呼吸空気流路を通った後の前記赤外光を検出する光検出器と、
対象ガスの吸収線を包含する通過帯域をもつ吸収線帯域通過フィルタと、
前記呼吸空気が透過性である通過帯域をもつ基準線帯域通過フィルタと、
前記吸収線帯域通過フィルタが前記赤外光の経路内にあり、かつ、前記基準線帯域通過フィルタが前記赤外光の経路内にない監視状態と、前記基準線帯域通過フィルタが前記赤外光の経路内にあり、かつ、前記吸収線帯域通過フィルタが前記赤外光の経路内にない校正状態との間で前記ＲＧＭデバイスを切り替えるように動作する制御デバイスと、
を備え、
前記制御デバイスが、
前記吸収線帯域通過フィルタを通り、かつ、前記基準線帯域通過フィルタを通らない光路に前記赤外光を操作することにより前記監視状態を実現する第１の電気バイアスと、
前記基準線帯域通過フィルタを通り、かつ、前記吸収線帯域通過フィルタを通らない光路に前記赤外光を操作することにより前記校正状態を実現する第２の電気バイアスとで動作可能な電気光学ビーム操作デバイスを備える、
ＲＧＭデバイス。
【請求項２】
前記基準線帯域通過フィルタが、３．６マイクロメートルを包含する通過帯域をもつ、
請求項１に記載のＲＧＭデバイス。
【請求項３】
前記対象ガスが、二酸化炭素であり、前記吸収線帯域通過フィルタが、二酸化炭素の４．３マイクロメートルの吸収線を包含する通過帯域をもつ、
請求項１又は２に記載のＲＧＭデバイス。
【請求項４】
前記ＲＧＭデバイスが前記校正状態にあるときに、前記光検出器を使用して基準赤外線信号を測定し、
前記ＲＧＭデバイスが前記監視状態にあるときに、前記光検出器を使用し、さらに、前記基準赤外線信号を使用して、前記呼吸空気における前記対象ガスの濃度又は分圧を測定する、電子機器をさらに備える、
請求項１から３のいずれか一項に記載のＲＧＭデバイス。
【請求項５】
前記制御デバイスが、前記ＲＧＭデバイスを前記校正状態に切り替えるように動作するとき、前記呼吸空気流路を通る前記呼吸空気の流れを変えるように動作しない、
請求項１から４のいずれか一項に記載のＲＧＭデバイス。
【請求項６】
呼吸ガス監視（ＲＧＭ）デバイスの作動方法であって、前記方法は、
呼吸空気流路を通して呼吸空気を流すステップと、
前記呼吸空気流路を通る赤外光を放出するステップと、
前記呼吸空気流路を通して前記呼吸空気を流している間、吸収線帯域通過フィルタが前記赤外光の経路内に位置する状態において、前記呼吸空気流路を通る放出された前記赤外光の透過を示す赤外線透過信号を測定するステップ、及び、前記赤外線透過信号と基準赤外線信号とから前記呼吸空気における対象ガスに対する値を特定するステップを有する、対象ガス監視を実施するステップと、
前記呼吸空気流路を通して前記呼吸空気を流している間、基準線帯域通過フィルタが前記赤外光の経路内に位置する状態において、前記呼吸空気流路を通る放出された前記赤外光の透過を示す前記基準赤外線信号を測定するステップを有する、校正を実施するステップと、
を有し、
対象ガスの吸収線を包含する通過帯域に調整されることにより、電気的に調整可能な光学帯域通過フィルタが前記吸収線帯域通過フィルタを具現化する監視状態に前記ＲＧＭデバイスがあるときに、前記対象ガス監視が実施され、
前記呼吸空気が透過性である通過帯域に調整されることにより、前記電気的に調整可能な光学帯域通過フィルタが前記基準線帯域通過フィルタを具現化する校正状態に前記ＲＧＭデバイスがあるときに、前記校正が実施される、
方法。
【請求項７】
前記吸収線帯域通過フィルタが前記赤外光の経路内に位置し、かつ、前記基準線帯域通過フィルタが前記赤外光の経路の外側に位置する監視状態に前記ＲＧＭデバイスがあるときに、前記対象ガス監視が実施され、
前記基準線帯域通過フィルタが前記赤外光の経路内に位置し、かつ、前記吸収線帯域通過フィルタが前記赤外光の経路の外側に位置する校正状態に前記ＲＧＭデバイスがあるときに前記校正が実施される、
請求項６に記載の方法。
【請求項８】
前記吸収線帯域通過フィルタが、対象ガスの吸収線を包含する通過帯域をもち、前記基準線帯域通過フィルタは、前記呼吸空気が透過性である通過帯域をもつ、
請求項６又は７に記載の方法。
【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
患者の天然の弁を修復するための弁修復デバイスであって、
第１の端部および第２の端部を有する接合要素と、
前記接合要素の前記第２の端部に連結された一対のパドルとを備え、
前記接合要素は、前記接合要素が前記第１の端部から前記第２の端部まで伸長するにつれて細くなり、
前記パドルが開位置と閉位置の間で移動可能であり、
前記パドルが前記患者の前記天然の弁に付くように構成されている、弁修復デバイス。
【請求項２】
前記接合要素は、前記弁修復デバイスを前記弁修復デバイスの前面から見たときに、前記接合要素が前記第１の端部から前記第２の端部まで伸長するにつれて細くなり、かつ前記接合要素は、前記弁修復デバイスを前記弁修復デバイスの側面から見たときに、前記接合要素が前記第１の端部から前記第２の端部まで伸長するにつれて細くなる、請求項１に記載の弁修復デバイス。
【請求項３】
前記接合要素と前記パドルのそれぞれとの間の隙間が、前記弁修復デバイスを前記弁修復デバイスの側面から見たときに、前記弁修復デバイスの前記第１の端部から前記弁修復デバイスの前記第２の端部まで広くなる、請求項１または２に記載の弁修復デバイス。
【請求項４】
前記接合要素が中空である、請求項１から３のいずれか一項に記載の弁修復デバイス。
【請求項５】
前記接合要素が織物から作られている、請求項４に記載の弁修復デバイス。
【請求項６】
前記織物が編組金属ワイヤを含む、請求項５に記載の弁修復デバイス。
【請求項７】
前記パドルのそれぞれが内側パドル部および外側パドル部を備える、請求項１から６のいずれか一項に記載の弁修復デバイス。
【請求項８】
前記パドルが、伸長部材に連結されて配置された可撓性メッシュ材料を含む、請求項１から７のいずれか一項に記載の弁修復デバイス。
【請求項９】
前記伸長部材、および前記可撓性メッシュ材料の内側部分が前記伸長部材の第１の側面に配置され、前記可撓性メッシュ材料の外側部分が前記伸長部材の第２の側面に配置されている、請求項８に記載の弁修復デバイス。
【請求項１０】
患者の天然の弁を修復するための弁修復デバイスであって、
第１の端部および第２の端部を有する接合要素であって、前記接合要素は、前記接合要素が前記第１の端部から前記第２の端部まで伸長するにつれて細くなる、接合要素と、
前記接合要素の第１の端部に連結されたカラーと、
開位置と閉位置の間で移動可能である一対のパドルと、
前記一対のパドルに連結されたキャップと、
前記カラーおよび前記接合要素を通り抜けて伸長し、前記キャップに連結されているシャフトとを備え、
前記キャップが前記シャフトによって前記カラーに向かって動くことにより前記一対のパドルが閉位置へ動き、前記キャップが前記シャフトによって前記カラーから遠くへ動くことにより前記一対のパドルが開位置へ動き、
前記パドルが前記患者の前記天然の弁に付くように構成されている、弁修復デバイス。
【請求項１１】
前記接合要素が、前記接合要素を両断する、かつ前記パドル間にある平面について対称である、請求項１０に記載の弁修復デバイス。
【請求項１２】
前記接合要素は、前記弁修復デバイスを前記弁修復デバイスの前面から見たときに、前記接合要素が前記第１の端部から前記第２の端部まで伸長するにつれて細くなり、かつ前記接合要素は、前記弁修復デバイスを前記弁修復デバイスの側面から見たときに、前記接合要素が前記第１の端部から前記第２の端部まで伸長するにつれて細くなる、請求項１０または１１に記載の弁修復デバイス。
【請求項１３】
前記接合要素と前記パドルのそれぞれとの間の隙間が、前記弁修復デバイスを前記弁修復デバイスの側面から見たときに、前記第１の端部から前記第２の端部まで広くなる、請求項１０から１２のいずれか一項に記載の弁修復デバイス。
【請求項１４】
前記接合要素が中空である、請求項１０から１３のいずれか一項に記載の弁修復デバイス。
【請求項１５】
前記第１の端部と前記第２の端部の間で得られるすべての断面図が楕円の形状である、請求項１４に記載の弁修復デバイス。
【請求項１６】
前記接合要素が織物から作られている、請求項１４に記載の弁修復デバイス。
【請求項１７】
前記織物が編組金属ワイヤを含む、請求項１６に記載の弁修復デバイス。
【請求項１８】
前記パドルのそれぞれが内側パドル部および外側パドル部を備える、請求項１０から１７のいずれか一項に記載の弁修復デバイス。
【請求項１９】
前記パドルが、伸長部材に連結されて配置された可撓性メッシュ材料を含む、請求項１０から１８のいずれか一項に記載の弁修復デバイス。
【請求項２０】
前記伸長部材が丸い三次元形状を有し、前記可撓性メッシュ材料の内側部分が前記伸長部材の第１の側面に配置され、前記可撓性メッシュ材料の外側部分が前記伸長部材の第２の側面に配置されている、請求項１９に記載の弁修復デバイス。
【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
患者の収縮期血圧及び拡張期血圧を非侵襲的に測定する方法であって、
複数の較正方程式を提供するステップであり、それぞれが、スケーリングされる動脈波形を表すデータを少なくとも入力するように、及び、較正される動脈波形を表すデータを出力するように構成された伝達関数を含み、前記スケーリングされる動脈波形データの振幅は、前記伝達関数を決定することを目的に固定値に設定される、ステップと、
非侵襲的センサを使用して、未較正の動脈波形を非侵襲的に感知及び記録するステップであり、前記未較正の動脈波形は、波形の心血管特徴を保存するのに十分な忠実度を有する、ステップと、
記録された前記未較正の動脈波形をスケーリングするステップであり、スケーリングされる波形の振幅が、前記伝達関数を決定するために使用される前記固定値に設定されるように行われる、ステップと、
前記スケーリングされた動脈波形の心血管特徴に関係する１つ又は複数のパラメータを決定するステップと、
前記スケーリングされた動脈波形から決定された心血管特徴に関係する１つ又は複数のパラメータに基づき、前記複数の較正方程式の１つを選択するステップと、
前記スケーリングされた波形における１つ又は複数の心血管特徴に基づき、前記スケーリングされた波形に前記選択された較正方程式を適用して、前記スケーリングされた動脈波形を較正するステップと、
前記患者の収縮期末梢血圧を、較正された前記波形の最大値として推定し、前記患者の末梢拡張期血圧を、前記較正された波形の最小値として推定するステップと、
を含む方法。
【請求項２】
前記伝達関数は、母集団のサンプリングのために収集された波形データを比較して、前記母集団における対象から既定の動脈位置において、前記患者に対する未較正の動脈波形を表すデータを記録するために提供されたのと同じタイプの非侵襲的センサを用いて得られたスケーリングされた動脈波形データを、前記母集団における対象から同じ既定の動脈位置において標準的な血圧機器を用いて得られた同時に測定された動脈波形データと関連付けることによって決定され、さらに、前記スケーリングされた動脈波形の心血管特徴に関係する１つ又は複数のパラメータのグループ分けごとに決定される、請求項１に記載の方法。
【請求項３】
患者の血圧状態を提供する方法であって
非侵襲的センサを使用して、未較正の動脈波形を非侵襲的に感知及び記録するステップであり、前記未較正の動脈波形は、波形の心血管特徴を保存するのに十分な忠実度を有する、ステップと、
スケーリングされた波形の１つ又は複数の心血管特徴に対するパラメータ値を決定するステップと、
複数の高血圧分類を提供するステップと、
前記スケーリングされた波形から決定された前記１つ又は複数の心血管特徴のパラメータ値に基づき、前記複数の高血圧分類の１つを選択するステップと、
選択された前記高血圧分類を表示するステップと、
を含む方法。
【請求項４】
決定された１つ又は複数の心血管パラメータは、オーグメンテーションインデックス、駆出期間、及び、収縮期の間の曲線下面積によって割られる拡張期の間の曲線下面積の比を含む、請求項２又は３に記載の方法。
【請求項５】
前記較正方程式は、決定木を使用して選択される、請求項２又は３に記載の方法。
【請求項６】
前記複数の較正方程式は、母集団のサンプリングのために収集されたデータを比較し、さらに、スケーリングされた未較正の非侵襲的な波形データを、収縮期血圧及び拡張期血圧のデータを含む侵襲的に測定された波形データと比較することによって決定される、請求項２に記載の方法。
【請求項７】
前記患者に対する高血圧分類を選択するアルゴリズムが、母集団のサンプリングのために収集されたデータを比較し、さらに、スケーリングされた未較正の非侵襲的な波形データを、収縮期血圧及び拡張期血圧のデータを含む侵襲的に測定された波形データと比較することによって確立される、請求項３に記載の方法。
【請求項８】
前記複数の較正方程式は、母集団のサンプリングのために収集されたデータを比較し、スケーリングされた未較正の非侵襲的な波形データを、収縮期血圧及び拡張期血圧のデータを含む非侵襲的に測定された波形データと比較することによって決定される、請求項２に記載の方法。
【請求項９】
前記患者に対する高血圧分類を選択するアルゴリズムが、母集団のサンプリングのために収集されたデータを比較し、さらに、スケーリングされた未較正の非侵襲的な波形データを、収縮期血圧及び拡張期血圧のデータを含む非侵襲的に測定された波形データと比較することによって確立される、請求項３に記載の方法。
【請求項１０】
前記複数の較正方程式は、線形成分及び非線形成分を含む、請求項１に記載の方法。
【請求項１１】
前記複数の較正方程式のそれぞれが、以下の式
【数９】
2020516389.tif 000001
の形態であり、
ｙ（ｔ）は、時間ｔにおける出力波形であり、
Ｐｉは、再較正方程式ｉに対する係数のｎａ＋ｎｂ＋１×１の行列であり、
Ｂｉは、再較正方程式ｉに対する係数のｎａ＋ｎｂ＋１×ｎａ＋ｎｂ＋１の正方行列であり、
Ｃｉは、再較正方程式ｉに対する係数のｎａ＋ｎｂ＋１×１の行列であり、
ｎａ，ｎｂは、それぞれ入力信号及び出力信号に対する遅延点の数であり、
ａｉ，ｄｉは、再較正方程式ｉに対するスカラー（定数）であり、
ｕ（ｔ）は、時間ｔにおける入力波形であり、
ｕ（ｔ−１）は、時間ｔ−１における入力波形であり、
ｕ（ｔ−ｎａ）は、時間ｔ−ｎａにおける入力波形であり、
ｙ（ｔ−１）は、時間ｔ−１における出力波形であり、
ｙ（ｔ−ｎｂ）は、時間ｔ−ｎｂにおける入力波形であり、
ｆ（）は、以下の式
【数１０】
2020516389.tif 000002
として表される非線形シグモイド関数である、請求項１０に記載の方法。
【請求項１２】
非侵襲的に感知及び記録される前記未較正の脈波形は、末梢波形であり、前記非侵襲的センサは、ウェアラブルプレチスモグラフセンサである、請求項１乃至１１のいずれか一項に記載の方法。
【請求項１３】
非侵襲的に感知及び記録される前記未較正の脈波形は、上腕カフ容積変位波形である、請求項１乃至１２のいずれか一項に記載の方法。
【請求項１４】
非侵襲的に感知及び記録される前記未較正の脈波形は、頸動脈波形である、請求項１乃至１３のいずれか一項に記載の方法。
【請求項１５】
前記未較正の脈波形を非侵襲的に感知及び記録するステップであり、前記未較正の脈波形は、波形の心血管特徴を保存するのに十分な忠実度を有する、ステップは、前記非侵襲的センサからの生の信号にフィルタをかけることを含み、前記フィルタをかけることは、３０Ｈｚから４０Ｈｚの範囲のカットオフ周波数を有するローパスフィルタ、及び、０．７から１．０Ｈｚの範囲のカットオフ周波数を有するハイパスフィルタの使用を含む、請求項１乃至１４のいずれか一項に記載の方法。
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
コーティングを有する医療機器であって、前記コーティングが（ｉ）ポリドーパミンと、（ｉｉ）ポリエーテル誘導体と、（ｉｉｉ）抗体とを含み、前記ポリドーパミンが前記医療機器上にコーティングされ、かつ前記ポリエーテル誘導体に共有結合しており、前記ポリエーテル誘導体が前記抗体のＦｃ領域に共有結合しており、および、前記ポリエーテル誘導体が２００ダルトン〜１，０００ダルトンの範囲の平均分子量を有する、医療機器。
【請求項２】
前記抗体が内皮前駆細胞または内皮細胞の細胞表面抗原に特異的に結合する、請求項１に記載の医療機器。
【請求項３】
前記細胞表面抗原がＣＤ３４である、請求項２に記載の医療機器。
【請求項４】
前記ポリエーテル誘導体が、ポリエチレングリコール（ＰＥＧ）、ポリエチレングリコール（ＰＥＧ）誘導体、ポリプロピレングリコール（ＰＰＧ）、ポリプロピレングリコール（ＰＰＧ）誘導体、またはそれらの組合せである、請求項１に記載の医療機器。
【請求項５】
前記ポリエーテル誘導体がＰＥＧである、請求項４に記載の医療機器。
【請求項６】
前記ポリエーテル誘導体が２００ダルトン〜３５０ダルトンの範囲の平均分子量を有する、請求項１に記載の医療機器。
【請求項７】
前記医療機器がステント、人工心臓弁、血管補綴フィルター、カテーテル、ペースメーカー、血管グラフト、合成グラフト、ペースメーカーリード、除細動器、卵円孔開存（ＰＦＯ）中隔閉鎖機器、血管クリップ、血管動脈瘤オクルーダー、血液透析グラフト、血液透析カテーテル、房室シャント、大動脈瘤グラフト機器もしくはコンポーネント、人工静脈弁、シャント、ワイヤ、センサ、縫合糸、血管吻合クリップ、留置静脈もしくは動脈カテーテル、血管鞘、または薬物送達ポートである、請求項１に記載の医療機器。
【請求項８】
前記医療機器がステントである、請求項１に記載の医療機器。
【請求項９】
前記医療機器が人工心臓弁または人工静脈弁である、請求項１に記載の医療機器。
【請求項１０】
前記医療機器が人工大動脈弁、人工肺動脈弁、人工僧帽弁、または人工三尖弁である、請求項９に記載の医療機器。
【請求項１１】
金属、合金、および／またはポリマーを含む、請求項１に記載の医療機器。
【請求項１２】
前記金属がステンレス鋼を含む、請求項１１に記載の医療機器。
【請求項１３】
前記ポリマーが生体適合性ポリマーである、請求項１１に記載の医療機器。
【請求項１４】
前記生体適合性ポリマーがポリテトラフルオロエチレン（ＰＴＦＥ）、延伸ポリテトラフルオロエチレン（ｅＰＴＦＥ）、ポリエチレンテレフタレート，ポリエチレン、ポリウレタン、ポリプロピレン、またはそれらの組合せもしくは誘導体である、請求項１３に記載の医療機器。
【請求項１５】
前記コーティングが医薬物質をさらに含む、請求項１に記載の医療機器。
【請求項１６】
前記医薬物質が平滑筋細胞移動および／または増殖を阻害する、請求項１５に記載の医療機器。
【請求項１７】
前記医薬物質がパクリタキセル、ラパマイシン、ラパマイシン誘導体、シロリムス、エベロリムス、タクロリムス、バイオリムス、バイオリムスＡ−９、またはそれらの組合せである、請求項１５に記載の医療機器。
【請求項１８】
前記抗体がモノクローナルまたはポリクローナルである、請求項１に記載の医療機器。
【請求項１９】
請求項１に記載の医療機器を患者に埋め込むステップを含む、血管状態を治療または予防するための方法。
【請求項２０】
前記血管状態がアテローム性動脈硬化症、再狭窄、血栓症、または血管閉塞である、請求項１９に記載の方法。
【請求項２１】
前記ポリエーテル誘導体が酸化ポリサッカライドを介して前記抗体の前記Ｆｃ領域への修飾ポリエチレングリコールリンカー上のアミン基と共有結合している、請求項１に記載の医療機器。
【請求項２２】
前記抗体が内皮前駆細胞または内皮細胞の細胞表面抗原に特異的に結合する、請求項２１に記載の医療機器。
【請求項２３】
前記細胞表面抗原がＣＤ３４である、請求項２２に記載の医療機器。
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
治療用ポリペプチドをそれを必要とする哺乳類対象に送達する方法であって、
a)供与対象から、細菌細胞を含むマイクロバイオームサンプルを得る工程;
b)マイクロバイオームサンプルから細菌細胞を単離する工程であり、細菌細胞は、供与対象にとって共生的な/天然の菌株に由来する、工程;
c)単離された細菌細胞をインビトロで培養して、単離及び培養された細菌細胞の実質的に均一な集団を得る工程;
d)細菌細胞の集団を、細菌及び/又は供与対象にとって異種である1つ又は複数のポリヌクレオチドで形質転換する工程であり、1つ又は複数のポリヌクレオチドは、1つ又は複数の治療用ポリペプチドをコードする、工程;及び
e)受容対象に単離及び培養された細菌細胞の実質的に均一な形質転換された集団の少なくとも一部を投与する、又はその投与を引き起こす工程であり、投与される細菌細胞は、哺乳類対象中又はその上に永久的に又は長期にわたり定着することが可能であり、1つ又は複数の治療用ポリペプチドを発現する、工程
を含む、方法。
【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
３０アミノ酸までの長さを有し、配列番号１３４に示されるアミノ酸配列を含んでなるペプチド、またはその薬学的に許容可能な塩。
【請求項２】
ＭＨＣに結合した際に、ＣＤ４および／もしくはＣＤ８Ｔ細胞によって認識されることができるようになる、請求項１に記載のペプチド、またはその薬学的に許容可能な塩。
【請求項３】
前記ペプチドが８〜１６アミノ酸長を有する、請求項１もしくは２に記載のペプチド、またはその薬学的に許容可能な塩。
【請求項４】
請求項１〜３のいずれか一項に記載のペプチドもしくはその薬学的に許容可能な塩が、修飾されおよび／または非ペプチド結合を含む、修飾および／または非ペプチド結合ペプチド、またはその薬学的許容可能な塩。
【請求項５】
ＨＬＡ−ＤＲ抗原関連不変鎖（Ｉｉ）のＮ末端アミノ酸及び、請求項１〜４のいずれか一項に記載のペプチドもしくはその薬学的許容可能な塩を含んでなる融合タンパク質、またはその薬学的許容可能な塩。
【請求項６】
ＭＨＣ分子と結合した際に、請求項１〜４のいずれか一項に記載のペプチドもしくはその薬学的許容可能な塩を特異的に認識する、または請求項１〜４のいずれか一項に記載のペプチドもしくはその薬学的許容可能な塩を特異的に認識する、抗体。
【請求項７】
ＭＨＣ分子と結合した際に、請求項１〜４のいずれか一項に記載のペプチドもしくはその薬学的許容可能な塩であるＨＬＡリガントと反応する、または請求項１〜４のいずれか一項に記載のペプチドもしくはその薬学的許容可能な塩であるＨＬＡリガンドと反応する、Ｔ細胞受容体。
【請求項８】
前記リガンドアミノ酸配列が、配列番号１３４に示されるアミノ酸配列からなる、請求項７に記載のＴ細胞受容体。
【請求項９】
前記Ｔ細胞受容体が可溶性分子として提供され、免疫刺激ドメインまたは毒素から選択される、さらなるエフェクター機能を保有する、請求項７または８に記載のＴ細胞受容体。
【請求項１０】
請求項１〜４のいずれか一項に記載のペプチドもしくはその薬学的許容可能な塩、請求項５に記載の融合タンパク質もしくはその薬学的許容可能な塩、請求項６に記載の抗体、または請求項７〜９のいずれか一項に記載のＴ細胞受容体を含んでなる組換え宿主細胞であって、前記宿主細胞が、樹状細胞、Ｔ細胞またはＮＫ細胞である抗原提示細胞から選択される、組換え宿主細胞。
【請求項１１】
Ｔ細胞を、適切な抗原提示細胞の表面または抗原提示細胞を模倣する人工コンストラクトの表面に発現される抗原負荷ヒトクラスＩまたはＩＩ ＭＨＣ分子に、前記Ｔ細胞を抗原特異的様式で活性化するのに十分な時間にわたり、生体外で接触させるステップを含んでなり、前記抗原が、請求項１〜４のいずれか一項に記載のペプチドまたはその薬学的許容可能な塩である、活性化Ｔリンパ球を製造するインビトロ法。
【請求項１２】
請求項１〜４のいずれか一項に記載のペプチドもしくはその薬学的許容可能な塩、請求項５に記載の融合タンパク質もしくはその薬学的許容可能な塩、請求項６に記載の抗体、請求項７〜９のいずれか一項に記載のＴ細胞受容体、または請求項１０に記載の宿主細胞からなる群から選択される、少なくとも１つの活性成分、またはコンジュゲートされもしくは標識されたこれらの活性成分と、薬学的に許容可能な担体を含んでなる医薬組成物。
【請求項１３】
請求項１０に記載の宿主細胞を培養するステップと、前記宿主細胞および／またはその培養液から、ペプチド、抗体、またはＴ細胞受容体を単離するステップとを含んでなる、請求項１〜４のいずれか一項に記載のペプチドもしくはその薬学的許容可能な塩、請求項５に記載の融合タンパク質もしくはその薬学的許容可能な塩、請求項６に記載の抗体、または請求項７〜９のいずれか一項に記載のＴ細胞受容体を製造する方法。
【請求項１４】
がん治療用薬剤の製造のための、請求項１〜４のいずれか一項に記載のペプチドもしくはその薬学的許容可能な塩、請求項５に記載の融合タンパク質もしくはその薬学的許容可能な塩、請求項６に記載の抗体、請求項７〜９のいずれか一項に記載のＴ細胞受容体、または請求項１０に記載の宿主細胞の使用。
【請求項１５】
前記がんが、配列番号１３４に示されるアミノ酸配列からなるペプチドが由来するタンパク質の過剰発現を示す、慢性リンパ球性白血病（ＣＬＬ）、急性骨髄性白血病（ＡＭＬ）、慢性骨髄性白血病（ＣＭＬ）；および非ホジキンリンパ腫、移植後リンパ球増殖性疾患（ＰＴＬＤ）によって代表されるその他のリンパ系新生物；ならびに原発性骨髄線維症、本態性血小板減少症、真性赤血球増加症から選択されるその他の骨髄性新生物；ならびに肝細胞がん、結腸直腸がん、神経膠芽腫、胃がん、食道がん、非小細胞肺がん、小細胞肺がん、膵臓がん、腎細胞がん、前立腺がん、黒色腫、乳がん、胆嚢がんおよび胆管がん、膀胱がん、子宮がん、頭頸部扁上皮がん、中皮腫から選択されるその他の新生物、およびその他の腫瘍の群から選択される、請求項１４に記載の使用。
【請求項１６】
（ａ）溶液または凍結乾燥形態にある、請求項１〜４のいずれか一項に記載のペプチドもしくはその薬学的許容可能な塩、請求項５に記載の融合タンパク質もしくはその薬学的許容可能な塩、請求項６に記載の抗体、請求項７〜９のいずれか一項に記載のＴ細胞受容体、または請求項１０に記載の宿主細胞を含有する医薬組成物を含んでなる容器；または、
前記（ａ）及び（ｂ）配列番号１〜配列番号１３３及び配列番号１３５〜配列番号２７９に示されるアミノ酸配列からなる群から選択される少なくとももう１つのペプチド、を含んでなるキット。
【請求項１７】
（ｉｉｉ）緩衝液、（ｉｖ）希釈剤、（ｖ）フィルター、（ｖｉ）針、または（ｖ）シリンジの１つまたは複数をさらに含んでなる、請求項１６に記載のキット。